(57)【要約】  インホイール電動モータであって、コネクタ部材を車両側に備え、コネクタ部材に接続された円筒形中空ステータボディを備えているステータを備え、ステータボディの外面にはステータ巻線が装備され、さらに、ステータを同軸に包囲する円筒形ロータボディを備え、電動モータはさらに、ステータ巻線に給電するためのパワーエレクトロニクスデバイスを備え、中空ステータボディには、電動モータの道路側に、パワーエレクトロニクスデバイスを受容するためのステータボディ開口部が配設され、包囲ロータボディには、道路側でロータボディのロータボディ開口部を覆い、ステータボディ開口部を覆う着脱可能なカバープレートが配設されている。
2020528256.tif 000002
【特許請求の範囲】
【請求項１】
インホイール電動モータ（４）であって、車両側（２）にコネクタ部材（３３）と、前記コネクタ部材（３３）に接続された円筒形中空ステータボディ（３１）とを備えたステータ（３０）を備え、前記ステータボディの外面にはステータ巻線が装備され、さらに、前記ステータ（３０）を同軸に包囲する円筒形ロータボディ（６０）を備え、前記電動モータ（４）はさらに、前記ステータ巻線に給電するためのパワーエレクトロニクスデバイスを備え、前記中空 ステータボディには、前記パワーエレクトロニクスデバイスを受容するために、前記電動モータ（４）の道路側にステータボディ開口部（９０）が配設され、さらに、包囲ロータボディ（７１）には、前記ロータボディ（７１）のロータボディ開口部を道路側で覆うとともにステータボディ開口部（９０）を覆う着脱可能なカバープレート（８０）が配設されている、インホイール電動モータ（４）。
【請求項２】
前記コネクタ部材（３３）は道路側に面した端面を備え、前記端面に、前記パワーエレクトロニクスデバイス（４２）のケーシング（１００）がプラグおよびソケット構成を介して接続されている、請求項１に記載のインホイール電動モータ（４）。
【請求項３】
前記コネクタ部材（３３）には前記端面から延出し軸方向（Ａ）に対して平行ないくつかの突出要素または凹部（９１）が配設され、前記パワーエレクトロニクスデバイスは、前記中空ステータボディ内でコネクタ部材上に位置決めされて、前記突出要素は、対応する相手側凹部（１０１）に受容されるか、または前記パワーエレクトロニクスデバイスのケーシングの対向面内の対応する突出要素を受容するコネクタ部材の凹部に受容される、  請求項１または２に記載のインホイール電動モータ（４）。
【請求項４】
前記コネクタ部材には、液体クーラントのフィードチャネル用の第１の開口部（９２）と、前記液体クーラント向けのリターンチャネル開口部の第２の開口部（９３）が配設され、前記フィードチャネルとリターンチャネルはそれぞれ前記コネクタ部材（３３）の軸方向（Ａ）に対して実質的に平行であり、
前記パワーエレクトロニクスデバイスには冷却回路系が配設され、前記冷却回路系は、対向面に、液体クーラント用のフィードコネクタ（１０２）とリターンコネクタ（１０３）を備え、前記コネクタ部材に位置決めされた場合に、前記フィードコネクタは、前記フィードチャネルへの液密結合向けに構成され、前記リターンコネクタは、前記リターンチャネルへの液密結合向けに構成されている、請求項１乃至３のいずれか一項に記載のインホイール電動モータ（４）。
【請求項５】
前記中空ステータボディ（３１）には、前記中空ステータボディ（３１）の前記円形開口部（９０）に対して平行な内部取り付け隆起部（９６）が配設され、前記パワーエレクトロニクスデバイス（４２）のケーシング（１００）には、前記パワーエレクトロニクスデバイスが前記コネクタ部材上に位置決めされたときに前記内部取り付け隆起部 （９６）に当接するブラケット（１０５）が道路側（３）に配設されている、請求項４に記載のインホイール電動モータ（４）。
【請求項６】
前記中空ステータボディには、その内周面に、回転軸に対して平行に延出する少なくとも ２つの内部取り付け隆起部が配設され、前記パワーエレクトロニクスデバイスのケーシングには、前記パワーエレクトロニクスデバイスが前記コネクタ部材上に位置決めされたときに前記内部取り付け隆起部に当接するブラケットが道路側に配設されている、請求項１乃至５のいずれか一項に記載のインホイール電動モータ。
【請求項７】
前記ロータカバープレート（８０）には、前記電動モータ（４）回転軸に中心決めされた円形カバープレート開口部が配設され、
前記パワーエレクトロニクスデバイス（４２）は、道路側に、前記ステータ巻線に対するロータの相対角度位置を感知するためのレゾルバ（８１）を備え、そのレゾルバは、前記電動モータ（４）回転軸（Ｒ）と一致する回転軸を有し、前記円形カバープレート開口部内に配置され前記カバープレート（８０）に装着されている、請求項１に記載のインホイール電動モータ（４）。
【請求項８】
インホイール電動モータ（４）を組み立てる方法であって、前記電動モータ（４）がステータ（３０）を備え、前記ステータ（３０）がコネクタ部材（３３）を車両側に備え、前記コネクタ部材（３）に接続され中心軸Ｒを備えた円筒形中空ステータボディ（３１）を備え、前記ステータボディの外面にはステータ巻線が装備され、前記電動モータ（４）はさらにステータ巻線に給電するためのパワーエレクトロニクスデバイス（４２）を備えており、前記コネクタ部材（３３）は、軸方向（Ａ）に対して平行であるとともに道路側（３）で前記中空ステータボディ（３１）の開口部（９０）のほうに延出するいくつかの突出要素または陥凹要素（９１）を有し、
前記パワーエレクトロニクスデバイスのケーシング（１００）の表面には、前記コネクタ部材の突出要素または陥凹要素を係合するための相補的な突出要素または受容要素（１０１）が配設され、前記パワーエレクトロニクスデバイス（４２）のケーシング（１００）は、道路側開口部を介して、前記ケーシングの表面が前記コネクタ部材に対面した状態で前記中空ステータボディ内に位置決めされ、その後、中心軸（Ｒ）の方向に沿って前記パワーエレクトロニクスデバイスを前記コネクタ部材に移動させ、
前記コネクタ部材の突出要素または陥凹要素をそれぞれ、前記パワーエレクトロニクスデバイスのケーシングの表面上の前記突出要素または受容要素のうち対応する１つに係合させる、方法。
【請求項９】
前記コネクタ部材が、クーラント用のフィードチャネル（９２）とリターンチャネル（９３）を備え、各路は前記コネクタ部材の軸方向（Ａ）に対して実質的に平行であり、前記パワーエレクトロニクスデバイスは対向面にフィードコネクタ（１０１）とリターンコネクタ（１０２）を備え、前記方法が、前記コネクタ部材の突出要素または受容要素が前記パワーエレクトロニクスデバイスの相補的な突出要素または受容要素にスライド式に係合している間は前記フィードコネクタを前記フィードチャネルに密封接続し前記リターンコネクタを前記リターンチャネルに密封接続するステップを含む、請求項８に記載の方法。
【請求項１０】
請求項１乃至７のいずれか一項に記載のインホイール電動モータ（４）を備えた車両のホイール用の駆動装置（１）であって、前記電動モータ（４）がステータ部（３０）とロータ部（６０）を備え、前記ロータ部と前記ステータ部は回転軸（Ｒ）に対して同軸であり、前記ロータ部と前記ステータ部は両方とも少なくとも部分的に前記ホイール内に配置されるように適合されている、駆動装置（１）。
【請求項１１】
請求項８または９のうちいずれか一項に記載の方法に従って組み立てられたインホイール電動モータ（４）を備えた車両のホイール用の駆動装置（１）であって、前記ロータ部と前記ステータ部は両方とも少なくとも部分的に前記ホイール内に配置されるように適合されている、駆動装置（１）。
【発明の詳細な説明】
【技術分野】
【０００１】
本発明は、インホイール電動モータの組み立て方法に関する。また、本発明はインホイール電動モータに関する。さらに、本発明は、そのような電動モータを備えた車両のホイールの駆動装置に関する。
【背景技術】
【０００２】
そのようなインホイール電動モータは、１つ以上のタイヤを担持するホイールのリムにロータが結合されているインホイール電動モータを備えた電気自動車について記載している特許文献１から知られている。ステータは、ホイールサスペンションシステムを介して車両のフレームに取り付けられている。既知のインホイールモータは、モータの電磁石が、中間歯車なしでリムとタイヤを直接駆動するダイレクトドライブホイールの一部である。こうして、重量と空間が省かれ、駆動装置内の構成要素の数が極減される。
【０００３】
インホイールモータによって生成されるトルクは、ロータとステータの間の磁束搬送面に依存し、ロータ半径の二次関数である。ロータ磁石はステータの周りに可能な限り外側に離して配置されて、可能な限り大きいロータ半径をもたらし、モータ設計は、タイヤに最大パワーとトルクを供給するために、ロータとステータの間の隙間を極減するべく最適化される。ロータとステータの間の隙間の幅は他方では、走行状態中にホイールへの機械的衝撃を吸収するために十分なほど大きくなるように設計される。
【０００４】
ステータの巻線は、ステータ内に配置されたパワーエレクトロニクスによって給電され、そのパワーエレクトロニクスは、車両の電源システム、例えば電池パックおよび／または発電機からの電気エネルギーを、電動モータによる使用に適したＡＣ電流に変換する。そのようなパワーエレクトロニクスは典型的にパワーエレクトロニクス、例えばＩＧＢＴ電流モジュールと、特許文献２に記載のような電流調整器を備えている。パワーエレクトロニクスを用いて、ステータの巻線に供給される電流および／または電圧を制御することで、ステータによって生成される磁束の磁場ベクトルが制御され、電動モータは所望のトルクおよび／または回転速度で動作する。パワーエレクトロニクスをステータ内に一体化することで、パワーエレクトロニクスから電磁石にわたる母線の長さを短く保つことができ、それは、例えば７００Ｖまたはそれ以上で３００Ａになり得るような電動モータを動作させるために一般的に必要な高電流および高電圧の損失を極減するという見地から非常に望ましい。
【０００５】
電動モータおよび／またはパワーエレクトロニクスを冷却するために、既知の駆動装置には、ステータおよび／またはパワーエレクトロニクスの外面付近に配置された１つ以上の冷却チャネルを有する冷却システムが配設され、それによって、液体クーラントは駆動装置に流入または駆動装置から流出できる。
【０００６】
インホイール駆動装置は、ロータに車両の可動部品が全く付いていない、および／またはロータ内に車両の可動部品が延出していない実質的に自蔵個別のモジュールとして実現され得る。ロータによって画定される内部空間は好ましくは実質的に閉鎖されて、車両の制動システムによって、および／または道路によって放出される塵芥および／または磨耗粒子の、前記内部への侵入を防止する。
【０００７】
インホイール駆動装置は、駆動装置の車両側を車両フレームに接続することによって様々な位置で車両に取り付けられてよい。タイヤを取り付けるためのリムが、好ましくはロータの実質的に円筒形の外面においてロータに装着されてよい。
【０００８】
従来技術のインホイール電動モータの欠点は、パワーエレクトロニクスの修理または交換にあたり、ハウジングを開けて大部分を取り外すことが必要となるということである。電動モータがホイール内に配置されているため、ハウジングを開けるということは、電動モータが収容されているホイールも車両から取り外されなければならないということを要する。
【先行技術文献】
【特許文献】
【０００９】
【特許文献１】国際公開第２０１３／０２５０９６号パンフレット
【特許文献２】欧州特許第１２５２０３４号明細書
【発明の概要】
【発明が解決しようとする課題】
【００１０】
本発明の目的は、従来技術由来の欠点のうち１つ以上を克服または軽減することである。
【課題を解決するための手段】
【００１１】
この目的は、車両側にコネクタ部材を備え、コネクタ部材に接続された円筒形中空ステータボディを備えているステータを備えたインホイール電動モータによって達成され、ステータボディの外面にはステータ巻線が装備され、さらに、ステータを同軸に包囲する円筒形ロータボディを備え、電動モータはさらに、ステータ巻線に給電するためのパワーエレクトロニクスデバイスを備え、中空ステータボディには、電動モータの道路側にパワーエレクトロニクスデバイスを受容するためのステータボディ開口部が配設され、包囲ロータボディには、道路側でロータボディのロータボディ開口部を覆い、ステータボディ開口部を覆う着脱可能なカバープレートが配設されている。
【００１２】
道路側に着脱可能なカバープレートを備えたロータボディと、道路側で開いている中空ステータボディを配設することによって、パワーエレクトロニクスデバイスは、駆動ホイールを車両から解体する必要なしに容易にアクセス可能な方式で電動モータに挿入され得る、または電動モータから取り外し可能である。これは、保守作業中の設置および取り外しのための時間を省く。
【００１３】
一実施形態によれば、インホイール電動モータは、コネクタ部材のヘッドとパワーエレクトロニクスデバイスのケーシングが、プラグおよびソケット構成によって接続されるような方式で配置されている。この配置は、駆動ホイール内へのパワーエレクトロニクスデバイスの配置を単純化させる。好ましくは、コネクタ部材は道路側に面した端面を有し、パワーエレクトロニクスデバイスはその端面に、プラグおよびソケット構成を介して接続される。一実施形態によれば、コネクタ部材には、端面から延出し軸方向に対して平行ないくつかの突出要素または凹部が配設され、パワーエレクトロニクスデバイスは、中空ステータボディ内でコネクタ部材に位置決めされて、突出要素は、対応する相手側凹部に、または、パワーエレクトロニクスデバイスのケーシングの対向面内の対応する突出要素を受容するコネクタ部材上の凹部に受容される。これは、中空ステータボディ内へのパワーエレクトロニクスデバイスの取り付けを有意に促進する。
【００１４】
一実施形態によれば、インホイール電動モータは、コネクタ部材に、液体クーラントのフィードチャネルの第１の開口部が配設されるとともに液体クーラントのリターンチャネル開口部の第２の開口部が配設されるような様式で配置されており、フィードチャネルとリターンチャネルはそれぞれコネクタ部材の軸方向に対して実質的に平行であり、パワーエレクトロニクスデバイスには冷却回路系が配設され、冷却回路系は、対向面上に液体クーラントのフィードコネクタとリターンコネクタを備え、コネクタ部材上に位置決めされた場合に、フィードコネクタはフィードチャネルに液密結合するように配置され、リターンコネクタはリターンチャネルに液密結合されるように配置されている。
【００１５】
コネクタ部材に液体クーラント用の内部チャネルを配設し、パワーエレクトロニクスデバイスのケーシング上に対応するコネクタを配設することによって、車両の回転部品および固定部品内での冷却回路系間の接続と離脱が、それぞれ設置中および取り外し中に、保守管理者によるさらなる相互作用なしで成される。
【００１６】
一実施形態によれば、コネクタ部材には、液体クーラントのフィードチャネルの第１の開口部が配設されるとともに液体クーラントのリターンチャネル開口部の第２の開口部が配設されており、フィードチャネルとリターンチャネルはそれぞれコネクタ部材の軸方向に対して実質的に平行であり、パワーエレクトロニクスデバイスには冷却回路系が配設され、冷却回路系は、対向面上に液体クーラントのフィードコネクタとリターンコネクタを備え、コネクタ部材上に位置決めされた場合に、フィードコネクタはフィードチャネルに液密結合するように配置され、リターンコネクタはリターンチャネルに液密結合されるように配置されている。こうして、対向面へのフィードチャネルの結合は、単にパワーエレクトロニクスデバイスをフランジの対向面のほうにスライドさせることで達成され得る。
【００１７】
一実施形態によれば、中空ステータボディには、中空ステータボディの円形開口部に対して平行な内部取り付け隆起部が配設され、パワーエレクトロニクスデバイスのケーシングには、パワーエレクトロニクスデバイスがコネクタ部材上に位置決めされた場合に内部取り付け隆起部に当接するブラケットが、道路側に配設されている。
【００１８】
一実施形態によれば、中空ステータボディには、回転軸に対して平行に延出する少なくとも２つの内部取り付け隆起部が、その内周面に配設され、パワーエレクトロニクスデバイスのケーシングには、パワーエレクトロニクスデバイスがコネクタ部材上に位置決めされた場合に内部取り付け隆起部に当接するブラケットが、道路側に配設されている。
【００１９】
一実施形態によれば、ロータカバープレートには、電動モータ回転軸に中心決めされた円形カバープレート開口部が配設され、パワーエレクトロニクスデバイスは、ステータ巻線に対するロータの相対角度位置を感知するためのレゾルバを、道路側に備え、そのレゾルバは、電動モータ回転軸と一致する回転軸を有し、円形カバープレート開口部内に配置されてカバープレートに装着されている。こうしてレゾルバは、インホイールモータが車両に取り付けられている場合でも、道路側から容易に届き得る。ロータによって感知される、ステータ巻線に対するロータの相対角度位置を用いて、当技術分野で知られるように、個々のステータ巻線に印加される電流および／または電圧を制御してよい。
【００２０】
一態様によれば、本発明はインホイール電動モータを組み立てる方法を提供し、電動モータはステータを備え、ステータは、コネクタ部材を車両側に備え、コネクタ部材に接続され中心軸Ｒを備えた円筒形中空ステータボディを備え、ステータボディの外面にはステータ巻線が装備され、電動モータはさらに、ステータ巻線に給電するためのパワーエレクトロニクスデバイスを備えており、コネクタ部材は、軸方向に対して平行であるとともに道路側で中空ステータボディの開口部のほうに延出するいくつかの突出要素または陥凹要素を有し、パワーエレクトロニクスデバイスのケーシングの表面には、コネクタ部材の突出要素または陥凹要素を係合するための相補的な突出要素または受容要素が配設され、パワーエレクトロニクスデバイスのケーシングは、道路側開口部を介して、ケーシングの表面がコネクタ部材に対面した状態で中空ステータボディ内に位置決めされ、その後、中心軸の方向に沿ってパワーエレクトロニクスデバイスをコネクタ部材に移動させ、コネクタ部材の突出要素または陥凹要素それぞれを、パワーエレクトロニクスデバイスのケーシングの表面上の突出要素または受容要素のうち対応する１つに係合させる。
【００２１】
さらに、本発明は、上述のようなインホイール電動モータを備えるか、または上述のような方法によって製造され、ロータ部とステータ部が両方とも少なくとも部分的にホイール内に配置されるように適合されているインホイール電動モータを備えるかのいずれかである車両のホイールの駆動装置に関する。
【００２２】
有利な実施形態は従属請求項によってさらに定義される。
【００２３】
本発明を、その例示的実施形態が示されている図面を参照して以下にさらに詳細に説明する。図面は例示的目的のみを意図しており、発明的概念の制限を意図したものではない。
【図面の簡単な説明】
【００２４】
【図１Ａ】本発明で使用する駆動装置の断面図である。
【図１Ｂ】本発明で使用する駆動装置の破断等角図である。
【図１Ｃ】本発明で使用する駆動装置の断面図である。
【図２】本発明の一実施形態に係るコネクタ部材の詳細図である。
【図３】本発明の一実施形態に係るパワーエレクトロニクスデバイスのケーシングの等角図である。
【図４】本発明の一実施形態に係る、パワーエレクトロニクスデバイスの、車両のコネクタ部材との結合の詳細断面図である。
【発明を実施するための形態】
【００２５】
図１Ａは、本発明で使用する駆動装置１の断面図を示す。駆動装置は、周りにロータ６０が配置される外面３２を有する中空ステータボディ３１を備えたステータ３０を備えている。駆動装置はさらに、駆動装置を車両に装着するための、組立体１の車両側２に配置された車軸スタブまたはコネクタスタブ３３を備えている。コネクタ部材３３は、ロータ６０内にあるとともにロータ６０の外周面６３の外側にある車軸スタブ３３の部分３６よりも大きい直径を有するフランジ３５を介してステータボディ３４に固定接続されている。回転軸Ｒ周りでのロータ６０の回転運動を支持するために、車両側ベアリング５２が配設され、それを介してロータが車両側のスタブ３３上に支持される。道路側３で、ロータが道路側ベアリング５４を介してステータボディ３１に回転的に支持される。
【００２６】
複数の永久磁石６１がロータ６０の内周面６２に装着され、ステータ３０の電磁石４１の周りで回転できる。電磁石４１はステータボディ３１に固定され、永久磁石６１と、電磁石４１によって生成された磁束との間の相互作用によってロータの回転を駆動する。ステータ３０とロータ６０は、回転軸Ｒの周りでのホイールの回転を直接駆動するように適合された電動モータを形成する。
【００２７】
ロータ６０は、それぞれその車両側２とその道路側３にある、横端部７２、７３を有する実質的に円筒形のロータボディ７１を備えている。横端部７２、７３は両方とも、道路からの、または車両の制動システムによって放出された塵芥および磨耗粒子などの異物粒子が、中空ロータ６０の内部に侵入することを防止するために実質的に閉鎖されている。ロータの車両側は、回転軸Ｒに対して横方向に延在するサイドプレート７４によって、また、カバープレート７５によって実質的に閉鎖されている。サイドプレート７４とカバープレート７５にはそれぞれ開口部が配設され、それを通ってコネクタ部材３３の部分３４が延出する。サイドプレート７４は、ベアリング５１をそれらの横方向車両側２で覆うためにカバープレート７５がサイドプレート７４に装着されている間に車両側ベアリング５２を支持し、また、開口部７７を備え、それを通って、部分３４が延出する。カバープレート７５は、開口部７７の内周縁７９と、軸３４の外周の間に配置された軸用シール７８と共に、異物粒子が車両側ベアリング５２を損傷することを防止する。さらに、カバープレート７５と軸用シール７８は、粒子が電磁石４１に干渉する可能性があるロータの内部５に、そのような粒子が車両側２から侵入することを実質的に防止する。
【００２８】
ステータボディ３１の内側に配置された道路側ベアリング５４は、道路側３では、着脱可能な第２のカバープレート８０によって覆われている。レゾルバ８１はステータ３０を第２のサイドプレート８０に回転的に接続し、ステータ３０に対するロータ６０の角度位置を検出するように適合されている。第２のカバープレート８０には円形開口部が配設され、そこにレゾルバ８１が、ロータ部への回転的接続のために第２のカバープレート８０に装着されている。
【００２９】
電磁石４１を制御し給電するために、パワーエレクトロニクス４２の回路系を保持するケーシング１００が、中空ステータボディ３１内に配置されている。パワーエレクトロニクス４２は、車両の電源システム、例えば電池パックおよび／または発電機からの電気エネルギーを、電動モータによる使用に適したＡＣ形に変換するための、ＩＧＢＴなどの構成要素を備えている。レゾルバ８１は、ロータの磁場と同位相で交流電流が供給されるように、パワーエレクトロニクスに対するロータの角度位置を示す角度位置信号を提供する。
【００３０】
電動モータの稼働中のパワーエレクトロニクスの過熱を防止するために、ステータボディ３２の内部のパワーエレクトロニクス４２に近接し、ステータボディ３２から離隔して冷却ダクト（図示せず）を備えた冷却回路系が配設されている。ロータの外部から内部へとコネクタ部材３３を貫通するクーラントフィードチャネル４５を介して、冷却ダクトにクーラントが供給される。パワーエレクトロニクス４２を冷却した後で、クーラントはコネクタ部材３３内の通路４６を介して、ステータボディ３０の外面３２に配設された冷却ジャケット３７に流れる。冷却ジャケット３７には、中空円筒形ボディ３１に沿って経由する回路を形成し、冷却ジャケット３７の外側４０に配置された電磁石４１を冷却するために液体クーラントが中を通る通路を提供するチャネル３８が配設されている。こうして、比較的低温のクーラントがクーラントフィードチャネル４５を通って供給されることができ、クーラントは冷却ダクトを通る間に暖機してパワーエレクトロニクス４２から熱エネルギーを吸収し、次にチャネル３８を通過して電磁石４１からの熱エネルギーを吸収し、その後で駆動装置１から除去されて、コネクタ部材３３を通して延出するクーラント排出チャネル（図示せず）を通して車両に戻される。暖機されたクーラントは好ましくは車両上で熱交換器内で冷却され、その後クーラントフィードチャネル４５を通って再循環される。
【００３１】
パワーエレクトロニクス４２に給電するための電源線４３ａ、４３ｂは、ロータ６０の外部から、コネクタ部材３３内の貫通孔を備えた通路４４を通って、パワーエレクトロニクスに通る。
【００３２】
本発明によれば、パワーエレクトロニクス４２のケーシングは、ヘッド部分、すなわち、コネクタ部材３３のフランジ３５に取り付けられる。道路側での円筒形ロータボディ７１内の開口部９０の直径は、パワーエレクトロニクス４２のケーシングの断面よりも大きい。円筒形ロータボディ７１内の開口部を道路側で閉鎖する着脱可能な第２のカバープレート８０は、道路側３で円筒形ロータボディ７１の開口部を介してケーシングを挿入することによってパワーエレクトロニクス４２が取り付けられ得ることを可能にする。さらに、着脱可能な第２のカバープレート８０は、パワーエレクトロニクスデバイスのケーシングを定位置にロックし、また、必要に応じ比較的容易にパワーエレクトロニクス４２にアクセスすることも可能にする。
【００３３】
図２を参照してさらに詳細に説明するように、パワーエレクトロニクスのケーシングとコネクタ部材３３は、それぞれ取り付け、給電および冷却のためにパワーエレクトロニクスを機械的、電気的および熱的に接続するためのプラグおよびソケット構成を伴って配置されている。
【００３４】
図１Ｂは、図１Ａの駆動装置の部分破断等角図を示すが、中空ステータボディ３１とレゾルバ８１がより良く見通せるように、第２のカバープレート８０と道路側ベアリング５４は図示していない。
【００３５】
図１Ｃは、本発明で用いるホイール駆動装置の断面を示す。ホイール駆動装置はインホイール電動モータ４と、リム８２と１つ以上のタイヤ８４を備えている。
【００３６】
インホイール電動モータ４はステータ部６０とロータ部３０を備えている。ステータ部 ６０は、車両のシャーシの一部であるコネクタ部材３３に結合されている。
【００３７】
リム８２は、ロータ部６０の外周に配置されている。リム８２は従来技術で知られるボルト接続によってロータ部に装着され得る。
【００３８】
リム８２上に１つ以上のタイヤ８４が取り付けられている。ロータ部６０とステータ部３０は両方とも少なくとも部分的にホイール内に配置されている。
【００３９】
図２は、本発明の一実施形態によるコネクタ部材３３と中空ステータボディの等角図を示す。
【００４０】
コネクタ部材３３は、車両（図示せず）のシャーシに接続される第１の端部３３−１を車両側２に備えている。第１の端部３３−１と軸方向に対向する第２の端部３３−２は、中空ステータボディ３１に接続するためのコネクタ部材３３のヘッドを形成するフランジ３５を備えている。道路側３を向いたフランジ３５の表面内で、コネクタ部材３３には、軸方向Ａに沿って延出するいくつかの突出要素９１が配設されている。
【００４１】
突出要素９１の位置に対する所定位置で、フランジ３５の表面には、それぞれ液体クーラントのフィードチャネル９２用開口、液体クーラントのリターンチャネル９３用開口および電気導体向けの貫通孔９４が配設されている。
【００４２】
コネクタ部材３３のボディ内部で、フィードチャネル９２、リターンチャネル９３および電気導体９４用の貫通孔が軸方向Ａに沿って配設されている。
【００４３】
図３は、本発明の一実施形態によるパワーエレクトロニクスデバイス４２のケーシング１００の等角図を示す。
【００４４】
取り付け位置でコネクタ部材３３のフランジ３５に対面するパワーエレクトロニクスデバイス４２のケーシング１００の表面に、対応する位置において、突出要素９１を受容するための相手側要素１０１と、フィードチャネルおよびリターンチャネル９２、９３への液密結合のための流体コネクタ１０２と、電気導体用の端子１０３、１０４がそれぞれ配設されている。代替策として、フランジ３５の表面に、突出要素９１の代わりに凹部が配設され、フランジ３５に対面するケーシングの表面に、対応する位置で、突出する相手側要素が配設されることも理解されよう。
【００４５】
パワーエレクトロニクスデバイス４２のケーシング１００がフランジ３５に取り付けられると、突出要素９１は相手側要素１０１内に受容されて（または突出する相手側要素が凹部に受容されて）、パワーエレクトロニクスデバイス４２のケーシング１００のための機械的支持を提供する。
【００４６】
稼働中に駆動装置（ホイールおよびインホイール電動モータ）が動的負荷を蒙るときに接続に幾分のフレキシビリティを見込むために、突出要素９１と相手側要素１０１の間（または凹部と突出する相手側要素の間）に幾分の遊びが許容されてもよい。
【００４７】
さらに、中空ステータボディ３１には、中空ステータボディ３１の内周上に、パワーエレクトロニクスデバイス４２の副次的支持体としての内部取り付けフランジ９６が配設され得る。内部取り付けフランジ９５は、フランジ３５からのケーシングの長さ１０６に実質的に対応する、コネクタ部材３３のフランジ３５からの距離に位置決めされている。パワーエレクトロニクスデバイス４２のケーシング１００は、道路側に面した表面に、中空ステータボディ３１の内部取り付けフランジ９５に接続するブラケット１０５を備えている。ブラケット１０５と内部取り付けフランジ９５は図１Ｂで最もよくわかる。
【００４８】
取り付け位置において、流体コネクタ１０２それぞれは、フィードチャネルおよびリターンチャネル９２、９３の対応する開口部のうち一方に結合し、電気導体の端子１０３、１０４は、電気導体用のコネクタ部材の貫通孔を通って車両側２へと延出する。
【００４９】
電気導体は、車両（図示せず）内部の電源（図示せず）に接続される。電源は例えば、電池または発電機である。
【００５０】
一実施形態では、端子１０３、１０４は、ケーシング１００の対向面に対して、またフランジの面に対して垂直な細長いストリップである。パワーエレクトロニクスデバイス４２の側で、端子は、ステータ巻線に給電するパワーエレクトロニクスに接続されて、ロータ部６０内に配置された磁石６１と相互作用する電磁場を生成する。
【００５１】
図４は、コネクタ部材３３のフランジ３５に取り付けられたパワーエレクトロニクスデバイス４２のケーシングの詳細断面図を示す。
【００５２】
この断面において、フィードチャネルと流体フィードコネクタとの接続およびリターンチャネルと流体リターンコネクタとの接続がそれぞれ示されている。さらに、コネクタ部材３３内の対応する貫通孔内の端子のうち１つが示されている。
【００５３】
フィードチャネルと流体フィードコネクタとの接続およびリターンチャネルと流体リターンコネクタとの接続にはそれぞれシール１０７、１０８が配設されて漏れないようになっている。
【００５４】
一実施形態では、フィードチャネル９２とリターンチャネル９３の各開口部には、シール１０７、１０８および逆止弁（図示せず）が配設されている。有利には、パワーエレクトロニクスデバイス４２がコネクタ部材３３のフランジから取り外されたときのコネクタ部材３３のフランジ３５での開放接続の場合に、逆止弁がクーラント回路系を車両側２で閉じる。
【００５５】
本発明を、好ましい実施形態を参照して説明してきた。先述の詳細な説明を読み理解すれば、自明な修正および変更を他者でも思いつくであろう。本発明は、そのような修正および変更を、それらが添付の特許請求の範囲内にある限り、全て含めると解釈されることが意図される。
【符号の説明】
【００５６】
２  車両側
３  道路側
４  インホイール電動モータ
３０  ステータ
３１  ステータボディ
３３  コネクタ部材
４２  パワーエレクトロニクスデバイス
６０  円筒形ロータ
７１  包囲ロータボディ
８０  カバープレート
８１  レゾルバ
９０  ステータボディ開口部
９１  突出要素または凹部
９２  フィードチャネル
９３  リターンチャネル
９６  内部取り付け隆起部
１００  ケーシング
１０１  相手側凹部
１０２  フィードコネクタ
１０３  リターンコネクタ
１０５  ブラケット
１０７、１０８  シール
Ｒ  回転軸
【図１Ａ】
2020528256.tif 000003
【図１Ｂ】
2020528256.tif 000004
【図１Ｃ】
2020528256.tif 000005
【図２】
2020528256.tif 000006
【図３】
2020528256.tif 000007
【図４】
2020528256.tif 000008
【国際調査報告】
2020528256.tif 000009
2020528256.tif 000010